(57)【特許請求の範囲】
【請求項１】
第1のイメージサイズを有する第1のカメラボディ、及び前記第1のイメージサイズとは異なる第２のイメージサイズを有する第２のカメラボディの各々に装着可能であり、且つ前記第１のカメラボディに適合する第１の露出補正データ及び前記第２のカメラボディに適合する第２の露出補正データを装着されたカメラボディに出力可能な交換レンズ、を装着した前記第１のカメラボディの露出制御方法であって、
前記交換レンズから出力された前記第１の露出補正データを受信する受信ステップと、
前記受信ステップにおいて受信した前記第１の露出補正データに応じて露出補正演算を行う露出補正演算ステップと、
前記露出補正演算ステップにおける前記露出補正演算結果に応じて露出制御を行う露出制御ステップと、
を有することを特徴とするカメラボディの露出制御方法。
【請求項２】
当該第１のカメラボディを識別する為の識別情報を前記交換レンズに送信する識別情報送信ステップを含み、
前記識別情報送信ステップにおける処理を終えた後に、前記受信ステップに移行することを特徴とする請求項１に記載のカメラボディの露出制御方法。
【請求項３】
前記受信ステップにおいては、第１の露出補正データ及び第２の露出補正データを受信し、
前記露出補正演算ステップにおいては、前記第１の露出補正データを選択的に使用して露出補正演算を行うことを特徴とする請求項１に記載のカメラボディの露出制御方法。
【請求項４】
前記第１の露出補正データは、露出演算により算出された露出アペックス値に対して補正を行う為の露出補正データであることを特徴とする請求項１に記載のカメラボディの露出制御方法。
【請求項５】
イメージサイズが互いに異なる少なくとも２種類のカメラボディに装着可能な交換レンズであって、
前記イメージサイズが互いに異なるカメラボディに応じた複数種類の露出補正データを記憶する記憶手段と、
前記記憶手段に記憶された複数種類の前記露出補正データを、当該交換レンズが装着されたカメラボディの種類にかかわらず前記カメラボディに送信する送信手段と、
を具備することを特徴とする交換レンズ。
【請求項６】
イメージサイズの異なる少なくとも２種類のカメラボディに装着可能な交換レンズであって、
上記カメラボディの種類によって異なる露出補正データを別個に記憶する記憶手段と、
当該交換レンズが装着された上記カメラボディから、このカメラボディの種類に関連したデータを受信するための受信手段と、
上記受信したデータに応じて、上記記憶手段に記憶された上記露出補正データの中から、当該交換レンズが装着されたカメラボディの種類に対応した露出補正データを選択するための選択手段と、
上記選択された露出補正データを当該交換レンズが装着された上記カメラボディに送信するための送信手段と、
を備えたことを特徴とする交換レンズ。
【請求項７】
イメージサイズの異なる少なくとも２種類のカメラボディに装着可能な交換レンズであって、
上記カメラボディの種類によって異なる露出補正データを別個に記憶する記憶手段と、
当該交換レンズが装着された上記カメラボディから、このカメラボディの種類に関連したデータと露出制御パラメータを受信するための受信手段と、
上記受信手段により受信された上記カメラボディの種類に関連したデータと上記露出制御パラメータとに応じて、上記記憶手段に記憶された上記露出補正データの中から、当該交換レンズが装着されたカメラボディの種類と上記露出制御パラメータとに対応した露出補正データを選択するための選択手段と、
上記選択された露出補正データを当該交換レンズが装着された上記カメラボディに送信するための送信手段と、
を備えたことを特徴とする交換レンズ。
【請求項８】
上記露出制御パラメータは、絞りの設定値であることを特徴とする請求項７に記載の交換レンズ。
【請求項９】
イメージサイズの異なる少なくとも２種類のカメラボディに装着可能な交換レンズであって、
上記カメラボディの種類によって異なる露出補正データを別個に記憶する記憶手段と、
当該交換レンズが装着された上記カメラボディから、このカメラボディの種類に関連したデータを受信するための受信手段と、
露出に関する状態を変更するためのマニュアル操作部材と、
上記受信手段により受信された上記カメラボディの種類に関連したデータと、上記マニュアル操作部材から出力されるマニュアル操作情報とから上記記憶手段に記憶された上記露出補正データの中から、当該交換レンズが装着されたカメラボディの種類と上記マニュアル操作情報とに対応した露出補正データを選択するための選択手段と、
上記選択された露出補正データを当該交換レンズが装着された上記カメラボディに送信するための送信手段と、
を備えたことを特徴とする交換レンズ。
【請求項１０】
上記マニュアル操作部材は、当該交換レンズの焦点距離を可変する操作部材であり、上記マニュアル操作情報は、焦点距離に関する情報であることを特徴とする請求項９に記載の交換レンズ。
【発明の詳細な説明】
【０００１】
【発明の属する技術分野】
イメージサイズの異なる少なくとも２種類のカメラボディと、これらボディに共用できる交換レンズとを有するカメラシステムにおいて使用される交換レンズ、及びカメラボディの露出制御方法に関する。
【０００２】
【従来の技術】
同一カメラシステム内に、銀塩フィルムを使用するカメラボディと、ＣＣＤ等の撮像素子を使用するカメラボディという記録媒体の異なる２種類のカメラボディおよび、これら両ボディに共通に使用できる交換レンズを有するカメラシステムについては、例えば、写真工業１９９８年４月号（P97 〜P100）などで既に公知な技術である。
このような両カメラボディに対し交換レンズを共用する際に、両カメラボディにおいて著しい画角の差が無く且つ違和感無く使えるようにするためには、両者のイメージサイズ（撮影画面の大きさ）を揃えることが望ましい。
【０００３】
ところで、銀塩フィルムのイメージサイズは、１３５フォーマットのロールフィルムを使用した場合、イメージサイズが３６ｍｍ×２４ｍｍの大きさであり、ＩＸ２４０カートリッジ・フィルムを使用した場合でも、Ｈタイプの場合では、２７．４ｍｍ×１５．６ｍｍである。従って、デジタルカメラボディでこれと同じ画角を得るためには次の２つの方法が考えられる。例えば、
▲１▼  同じイメージサイズの撮像素子を使用する方法；
▲２▼  結像面の後方に縮小光学系を用いてイメージサイズを縮小し、小さな撮像素子を使用する方法；。
【０００４】
しかし、方法▲２▼は、小さなＣＣＤを使用できる利点をもつ反面、縮小光学系に空間を必要とする故、カメラは大型化し重量が増加するデメリットをもつ。一方、方法▲１▼は、カメラの大きさや重量の点では有利であるが、大きなサイズの撮像素子を必要とし、コストアップにつながるというデメリットをもつ。
【０００５】
また、ＣＣＤ等の撮像素子を大きくする場合、半導体製造工程により次の条件がある。すなわち、チップサイズが大きくなる程、単純に面積比から考えて半導体ウエハからの取数が減るのでコストアップにつながる。また、チップサイズが大きくなる程、チップの歩留りが悪くなるのでコストアップにつながる。更に、半導体ウエハは通常円形であり、一方、撮像素子は通常四角形であるので、チップサイズが大きくなる程、周辺部での無駄が大きくなりコストアップにつながる。
【０００６】
以上により、現状の半導体製造技術を前提とした場合、両者のイメージサイズ（撮影画面の大きさ）を揃えることをあくまでも固執するのではなく、コストとのバランスを考慮し、撮像素子の大きさを銀塩フイルムより若干小さくして、画角の変動を許容する方法が考えられた。
【０００７】
【発明が解決しようとする課題】
しかしながら、上記の如くコストとのバランスを図るため、撮像素子の大きさを銀塩フィルムより若干小さくして、画角の変動を許容するようにした場合にも次なる問題点が存在する。すなわち、
１）  測光補正係数について：
カメラボディにて測光を行う際に測光値は下式によって求めることができる。
【０００８】
ＢＶ  ＝ Log2 （ＩＰ／ＩＰＳ(BV6) ＋６＋（ＡＶＯ−ＡＶＯＳ）＋ΔＢＶ…（式１）
但し、ＢＶ：被写体輝度のアペックス値、
ＩＰ：測光出力（光電流）、
ＩＰＳ(BV6) ：校正用基準レンズで、ＢＶ６の輝度箱（即ち、カメラレンズの前方より所定の輝度の照明を一様に与え、カメラに対して所定の輝度設定を行う装置）を設定した場合の測光出力。尚、ＢＶ６という輝度は仮であり、ＢＶ７やＢＶ８であっても構わない。
６：ＢＶ６に対応した数、
ＡＶＯ：撮影時に使用する開放Ｆno. ．アペックス値、
但し、撮影時の測光は、開放測光が前提である。
ＡＶＯＳ：校正用基準レンズでの基準Ｆno. ．アペックス値、
ΔＢＶ：測光補正係数。
【０００９】
ここで、測光補正係数ΔＢＶが必要性について説明すると、一般的に一眼レフカメラの測光方式は、交換レンズと透過した光束をスクリーンやペンタプリズムなどの通過した後に、接眼部近傍に設置された測光センサにて測光を行う。ここで、交換レンズの特性（射出瞳の位置、透過率、周辺光量低下＝ｃｏｓ４乗測）や、カメラボディ光学系の特性（例えばスクリーンやペンタプリズムの特性）により、測光センサからの測光出力は、交換レンズに固有のＡＶＯ値に対して一対一に対応しない。
【００１０】
理論的には、測光出力ＩＰは次式に従う。すなわち、
２AVO   〓  １／ＩＰ                        …（式２）。
【００１１】
しかし前述した理由により完全には成立しない。具体的にこの理由を説明すれば、開放Ｆno. ．が４の撮影レンズを介して得た測光出力が例えば２０ｎＡであるとき、この撮影レンズを開放Ｆno. が５．６の撮影レンズに交換したときに、上記（式２）に従えば１０ｎＡになるはずであるが、しかし実際のカメラにおいては、この（式２）からズレが発生する。この理由は、前述した交換レンズの特性（射出瞳の位置、透過率、周辺光量低下＝ｃｏｓ４乗測）や、カメラボディ光学系の特性（スクリーンや、ペンタプリズムの特性）によるものであり、この詳細は特公平５−４９２０６号を参照することでもわかる。
【００１２】
さて、ここでこの測光補正係数ΔＢＶは、交換レンズ毎に異なる補正係数であるが、カメラボディ側の条件によっても異なる。例えば、カメラシステムの中に、銀塩フィルムを使用した銀塩カメラボディと、ＣＣＤ等の撮像素子を使用したデジタルカメラボディという記録媒体の異なる２種類のカメラボディをもち、それらのイメージサイズが異なる場合、それに対応して測光センサの測光領域（視野）も異なる。従って、銀塩カメラボディとデジタルカメラボディにおいて、同じ交換レンズに対して異なる測光補正係数ΔＢＶをもつ必要がある。
【００１３】
２）  露光量補正係数について：
露出のアペックス値ＥＶ値は下式で定義される。即ち、
ＥＶ＝ＢＶ＋ＳＶ＋ΔＥＶ                        …（式３）
但し、ＳＶ：フィルム若しくは撮像素子の感度に対応したアペックス値、
ΔＥＶ：露光量補正係数。
ここで、露光量補正係数ΔＢＶが必要性な理由は、交換レンズの特性（周辺光量低下や透過光量の特性）による。詳細は特公平５−４９２０６号を参照する。
【００１４】
例えば、周辺光量の低下は図１１（ａ）に示す如くに発生する。すなわち、
図１１（ａ）における横軸はフィルム面（撮像素子面）の対角線上の変位量であり、縦軸はフィルム面（撮像素子面）の照度を示す。この図１１（ａ）のグラフはイメージサイズが大きい銀塩カメラボディに対応している。グラフ中の特性曲線７００，７０１はそれぞれ交換レンズの絞り値が、Ｆ４，Ｆ１１に相当したフィルム面照度特性である。ここで、上記（式３）で計算されたＥＶ値に従って露出を制御した場合には、画面中央部ではほぼ適正の露出になるが、周辺にいくほど露出が「アンダー傾向］になる。この傾向は、小絞りのＦ１１の場合に比べて、絞り径の大きいＦ４の方が大きくなる。通常露出を行う際には上記（式３）に対して露光量の補正を行い、中央部と周辺部の露出の程度のバランスをとる。即ち、絞り値Ｆ４の特性曲線７０１に対しては、特性直線７０２を基準の露出レベルとして、照度（露光量）の補正量ΔＥF4分だけ露光量を底上げする。一方、大きな絞り値Ｆ１１の特性曲線７００に対しては、特性直線７０３を基準の露出レベルとして、照度（露光量）の補正量ΔＥF11 分だけその露光量を底上げする。
【００１５】
それに対して、図１１（ｂ）に示すグラフはイメージサイズが小さいデジタルカメラボディに対応している。ここで特性曲線７０４，７０５はそれぞれ交換レンズの絞り値がＦ４，Ｆ１１に相当した撮像素子面の照度特性である。イメージサイズの大きさが銀塩カメラボディに比べて小さいため、画面全体として周辺光量低下の傾向が小さくなる。したがって前述した照度（露光量）の補正量ΔＥF4、ΔＥF11 は、銀塩カメラボディと変えて小さい補正量にしなければならないことがわかる。
【００１６】
システム中に銀塩フィルムを用いた銀塩カメラボディと、ＣＣＤ等の撮像素子を用いたデジタルカメラボディという記録媒体の異なる２種類のカメラボディと、両カメラボディ共通に使用できる交換レンズとを有するカメラシステムにおいては、デジタルカメラボディのイメージサイズを銀塩カメラボディのイメージサイズに対し小さくしても、交換レンズとカメラボディとの組合せによって発生する露出に関する誤差を正しく補正することができるシステムの実現が待望される。
【００１７】
そこで本発明の目的は、同一な交換レンズを上記のようなイメージサイズの異なるカメラボディの何れに装着した場合でも、適正な撮影制御を行なうと共に、カメラシステムの充実を容易にするような交換レンズ、及びカメラボディの露出制御方法を提供することにある。
【００１８】
【課題を解決するための手段】
本発明は上述した状況に鑑みて為されたものであり、上記目的を達成するため次のような手段を講じている。例えば、
第１の発明によれば、第1のイメージサイズを有する第1のカメラボディ、及び前記第1のイメージサイズとは異なる第２のイメージサイズを有する第２のカメラボディの各々に装着可能であり、且つ前記第１のカメラボディに適合する第１の露出補正データ及び前記第２のカメラボディに適合する第２の露出補正データを装着されたカメラボディに出力可能な交換レンズ、を装着した前記第１のカメラボディの露出制御方法であって、前記交換レンズから出力された前記第１の露出補正データを受信する受信ステップと、前記受信ステップにおいて受信した前記第１の露出補正データに応じて露出補正演算を行う露出補正演算ステップと、前記露出補正演算ステップにおける前記露出補正演算結果に応じて露出制御を行う露出制御ステップと、を有することを特徴とするカメラボディの露出制御方法が提供される。
【００１９】
また、第２の発明によれば、イメージサイズが互いに異なる少なくとも２種類のカメラボディに装着可能な交換レンズであって、前記イメージサイズが互いに異なるカメラボディに応じた複数種類の露出補正データを記憶する記憶手段と、前記記憶手段に記憶された複数種類の前記露出補正データを、当該交換レンズが装着されたカメラボディの種類にかかわらず前記カメラボディに送信する送信手段と、を具備することを特徴とする交換レンズが提供される。
さらに、第３の発明によれば、イメージサイズの異なる少なくとも２種類のカメラボディに装着可能な交換レンズであって、上記カメラボディの種類によって異なる露出補正データを別個に記憶する記憶手段と、当該交換レンズが装着された上記カメラボディから、このカメラボディの種類に関連したデータを受信するための受信手段と、上記受信したデータに応じて、上記記憶手段に記憶された上記露出補正データの中から、当該交換レンズが装着されたカメラボディの種類に対応した露出補正データを選択するための選択手段と、上記選択された露出補正データを当該交換レンズが装着された上記カメラボディに送信するための送信手段と、を備えたことを特徴とする交換レンズが提供される。
第４の発明によれば、イメージサイズの異なる少なくとも２種類のカメラボディに装着可能な交換レンズであって、上記カメラボディの種類によって異なる露出補正データを別個に記憶する記憶手段と、当該交換レンズが装着された上記カメラボディから、このカメラボディの種類に関連したデータと露出制御パラメータを受信するための受信手段と、上記受信手段により受信された上記カメラボディの種類に関連したデータと上記露出制御パラメータとに応じて、上記記憶手段に記憶された上記露出補正データの中から、当該交換レンズが装着されたカメラボディの種類と上記露出制御パラメータとに対応した露出補正データを選択するための選択手段と、上記選択された露出補正データを当該交換レンズが装着された上記カメラボディに送信するための送信手段と、を備えたことを特徴とする交換レンズが提供される。
第５の発明によれば、イメージサイズの異なる少なくとも２種類のカメラボディに装着可能な交換レンズであって、上記カメラボディの種類によって異なる露出補正データを別個に記憶する記憶手段と、当該交換レンズが装着された上記カメラボディから、このカメラボディの種類に関連したデータを受信するための受信手段と、露出に関する状態を変更するためのマニュアル操作部材と、上記受信手段により受信された上記カメラボディの種類に関連したデータと、上記マニュアル操作部材から出力されるマニュアル操作情報とから上記記憶手段に記憶された上記露出補正データの中から、当該交換レンズが装着されたカメラボディの種類と上記マニュアル操作情報とに対応した露出補正データを選択するための選択手段と、上記選択された露出補正データを当該交換レンズが装着された上記カメラボディに送信するための送信手段と、を備えたことを特徴とする交換レンズが提供される。
【００２０】
【発明の実施の形態】
以下、本発明に基づく複数の実施形態例を挙げて詳しく説明する。
【００２１】
（第１実施形態例）
図１には、ロールフィルムを使用した銀塩フィルム用カメラボディ（以下「Ｆボディ」と称す）に、交換レンズ５０が装着されたところのカメラシステムを示している。
【００２２】
Ｆボディ１は、このＦボディ１のシーケンス制御を行うための専用マイクロコンピュータ（以下、ＦＣＰＵ２と称す）が備えられている。
【００２３】
また、装着された交換レンズ５０を通過してきた光束をファインダ光学系（６，７）側に導くため設けられたクイックリターンミラー３と、このクイックリターンミラー３に取着されその光束の一部をセンサ（５）側に導くサブミラー４と、が一体に回動可能に設けられている。このクイックリターンミラー３の中央部はハーフミラーになっており、図示のようにクイックリターンミラー３がダウン時には、撮影レンズ（５２，５９）からの光束をファインダ光学系（６，７）側に導き、同時に、サブミラー４はその光束の一部をＡＦセンサ５に導く。
【００２４】
また、クイックリターンミラー３が矢印の方向へアップ（ＵＰ）時には、撮影レンズ（５２，５９）からの光束をフィルム１５側に導き、一方のサブミラー４は折り畳まれるように作られている。
このようなクイックリターンミラー３のアップ／ダウンの駆動を行うためのミラー駆動回路２３が端部に設けられている。
【００２５】
上記のファインダ光学系は、フォーカシングスクリーン６と、ペンタプリズム７から構成され、これに隣接して、観察者用の接眼レンズ８と、後ろにある測光センサ１０のための集光レンズ９が設けられている（詳細は図４（ａ）にて説明を行う）。そしてこの測光センサ１０からの光電流（即ち、光の強度に比例した出力電流）を対数圧縮するため設けられた測光処理回路１１が備えられ、ＦＣＰＵ２に接続されている。
【００２６】
また、クイックリターンミラー３の後には、先幕及び後幕を有して撮影レンズ（５２，５９）からの光束を透過、遮断を制御するためのフォーカルプレーンシャッタ１２が光軸に垂直に設けられ、このフォーカルプレーンシャッタ１２の先幕、後幕の走行を制御するためのシャッタ制御回路１３に接続されている。さらに、このフォーカルプレーンシャッタ１２の先幕、後幕の駆動源としてシャッタ走行後の動作のためにバネチャージするシャッタチャージ機構１４が接続されている。
【００２７】
Ｆボディ内部に装填され、イメージサイズ、即ち画面サイズが３６ｍｍ×２４ｍｍであるような例えば１３５型フォーマットのロールフィルム１５と、このロールフィルム１５の巻上げ／巻戻し等のフィルム給送を行うためのフィルム給送手段１６とが設けられている。
【００２８】
カメラの動作状態や撮影モード等を表示するための動作状態表示手段１７と、露出モードを変更するための露出モードＳＷ１８と、この露出モードＳＷ１８をＯＮ操作する毎に露出モードが、プログラムＡＥモード、絞り優先ＡＥモード（ＡＶ優先モード）、シャッタ秒時優先ＡＥモード（ＴＶ優先モード）の順番にスクロールするように構成されている。
【００２９】
図示しないレリーズボタンの第１ストロークによってＯＮ状態になる１ＲＳＷ１９と、更なる第２ストロークによってＯＮ状態になる２ＲＳＷ２０とから構成されている。また、このカメラの電源スイッチとしてのＰＷＳＷ２１が設けられ、この電源スイッチの状態は、ＦＣＰＵ２のＩ／Ｏポートに入力されている。
取り付け可能な交換レンズ５０との通信を行うため、交換レンズ５０と接するマウント部に設けられた電気接点２２を有している。
【００３０】
（Ｆボディの動作）
ＡＦセンサ５は、クイックリターンミラー３がダウン時にサブミラー４からの反射光を受け、ここで検知し光電変換した信号がＦＣＰＵ２に伝えられて自動測距（ＡＦ）処理が行われる。
測光センサ１０は、検知し光電変換して生じた光電流（即ち、光の強度に比例した出力電流）を測光処理回路１１に伝えると、対数圧縮処理が施されてＦＣＰＵ２に伝えられ、自動測光（ＡＥ）処理が行われる。
また、ＦＣＰＵ２は、交換レンズ５０と電気接点２２を介してその交換レンズ５０と必要に際して通信することで適宜な制御動作がなされる。
【００３１】
本発明の交換レンズ５０は、この例の場合、焦点距離を可変できるズームレンズである。この交換レンズ５０内のシーケンス制御をおこなうための専用マイクロコンピュータ（以下、ＬＣＰＵ５１と称す）が備えられている。
【００３２】
交換レンズ５０側の撮影光学系としては、撮影レンズ内でズーム動作を行うためのレンズ群５２と、このレンズ群５２を駆動するためのズーム駆動手段５３と、このズーム駆動手段５３の駆動量をモニタするためのズームエンコーダ５４とが設けられている。そして、このズームレンズをＴＥＬＥ側に駆動するためのＴＥＬＥ−ＳＷ５５と、このズームレンズをＷＩＤＥ側に駆動するためのＷＩＤＥ−ＳＷ５６とが設けられている。
【００３３】
絞り系としては、光量を可変するように動く絞り機構５７と、この絞り機構５７を駆動するための絞り駆動手段５８とが設けられている。
また、ピント合わせ光学系としては、撮影レンズ内でピント合せを行うためのレンズ群５９と、このレンズ群５９を駆動するためのＬＤ（レンズドライブ）駆動手段６０と、このＬＤ駆動手段６０の駆動量をモニタするためのＬＤエンコーダ６１とが設けられている。
カメラボディ１との通信を行うため、そのカメラボディ１（，１００）のマウント部に取付可能な電気接点６２を有している。
ＬＣＰＵ５１は、これらに間接、直接的に接続して、適宜な動作を行うように制御している。
【００３４】
このＬＣＰＵ５１内部のＲＯＭの一部には、測光補正係数記憶部７０と、露光量補正係数記憶部７３とが別個に設けられている。そして、測光補正係数記憶部７０の内部には、Ｆボディ１に対応した測光補正係数記憶部７１と、Ｄボディ（後述詳細）に対応した測光補正係数記憶部７２とで構成されている。
また、露光量補正係数記憶部７３の内部には、Ｆボディ１に対応した露光量補正係数記憶部７４と、Ｄボディに対応した露光量補正係数記憶部７５とで構成されている。
【００３５】
交換レンズ側の動作としては、ＬＣＰＵ５１がズームエンコーダ５４からの信号に従ってズーム駆動手段５３の駆動量を求め、この駆動量からズームレンズの焦点距離を求める。またＬＣＰＵ５１は、このＬＣＰＵ５１内に保持するＲＯＭに記憶された情報を参照し、そして、後述する測光補正係数および露光量補正係数のテーブルに基づいて、測光補正および露光補正を行い、その値に従って各部位の適宜な制御を行う。
【００３６】
ここで、図９中の（表１）を参照して、ＬＣＰＵ５１内のＲＯＭに記憶された測光補正係数および露光量補正係数のテーブルについて説明する。これらの補正係数は、レンズの焦点距離によって異なる次に示す補正係数から成っている。
１）  Ｆボディ・測光補正係数（左から２番目の列）は、図１中の測光補正係数７０に相当する補正係数であり、（式１）のΔＢＶに相当する補正係数である。最上段のΔＢＶＦ２８テーブルは、さらに図９中の（表２）に示すデータ構成になっており、測光センサ１０のＡ，Ｂ，Ｃパターンに対して異なる補正係数となっており、ΔＢＶＦ２８−Ａ，ΔＢＶＦ２８−Ｂ，ΔＢＶＦ２８−Ｃより構成されている。
【００３７】
２）  Ｆボディ・露光量補正係数（左から３番目の列）は、図１の符号７４に相当する補正係数であり、（式３）のΔＥＶに相当する補正係数である。最上段のΔＥＶＦ２８テーブルは、さらに図９中の（表３）に示すデータ構成になっており、ＡＶ値（Ｆno. ）に対して異なる補正係数になっていて、ΔＥＶＦ２８−４〜ΔＥＶＦ２８−８より構成されている。
【００３８】
３）  Ｄボディ・測光補正係数（左から４番目の列）は、図１の符号７２に相当する補正係数であり、（式１）のΔＢＶに相当する補正係数である。最上段のΔＢＶＤ２８テーブルは、さらに（表４）に示すデータ構成になっており、測光センサ１０７のＡ，Ｂ，Ｃ，Ｄ，Ｅ，Ｆパターンに対して異なる補正係数となっており、ΔＢＶＤ２８−Ａ〜ΔＢＶＤ２８−Ｆより構成されている。
【００３９】
４）  Ｆボディ・露光量補正係数（左から５番目の列）は、図１の符号７５に相当する補正係数であり、（式３）のΔＥＶに相当する補正係数である。最上段のΔＥＶＤ２８テーブルは、さらに（表５）に示すデータ構成になっており、ＡＶ値（Ｆno. ）に対して異なる補正係数になっていて、ΔＥＶＤ２８−４〜ΔＥＶＤ２８−８より構成されている。
【００４０】
図２には、デジタルカメラボディ（以下、Ｄボディと称す）のシステムを示している。尚、前述の図１と同一符号の構成部材は、同一機能を有する構成部材であるのでその説明は省略する。
Ｄボディ内のシーケンス制御を行うための専用マイクロコンピュータ（以下、ＤＣＰＵ１０１と称す）が設けられている。
【００４１】
フォーカルプレーンシャッタ１２の後ろには画像データを電子的に得るためのＣＣＤ撮像素子１０２が設けられている。尚、このＣＣＤ撮像素子１０２のイメージサイズは、２０ｍｍ×１５ｍｍであり、前述したＦボディ１のイメージサイズに比較して小さいサイズに作られている。
そして、このＣＣＤ撮像素子１０２を駆動制御するためのＣＣＤドライバ１０３と、ＣＣＤ撮像素子１０２から出力される画像データに対してＡ／Ｄ変換、色変換およびデータ圧縮などの各処理を行うための画像処理回路１０４とが設けられ、さらに、このＤボディ内部の装填された画像データを記録するための画像記録媒体１０６と、この画像記録媒体１０６に画像データを書き込むための画像記録回路１０５とが設けられている。
【００４２】
一方、測光系には、集光レンズ９の後ろに測光を行うための測光センサ１０７（図３（ｂ）にて詳細説明）が設けられ、測光処理回路１１を介してＤＣＰＵ１０１に測光情報を伝えている。
【００４３】
図３（ａ）には、測光センサ１０の領域を詳細に示すため、測光センサ１０の受光面を正面から見た図が示されている。
この測光センサ１０は、３分割の測光センサであり、それぞれ中央部のＡパターン２０１、中間部のＢパターン２０２、周辺部のＣパターン２０３より成りたっている。尚、符号２００はＦボディの全画面範囲を表わしている。
【００４４】
一方、図３（ｂ）には、測光センサ１０７の詳細を示す。測光センサ１０の受光面を正面から見た図である。
この測光センサ１０は、６分割の測光センサであり、それぞれ中央部のＡパターン２１１、中間部Ｂパターン２１２、周辺部のＣパターン２１３、Ｄパターン２１４、Ｅパターン２１５、Ｆパターン２１６より成り立っている。Ｄボディの全画面範囲を示す２１０は、Ｆボディの全画面範囲であり、Ｄボディの全画面範囲は、Ｆボディの全画面範囲よりも小さい。
【００４５】
次に、このように構成された第１実施形態例のカメラシステムにおける制御について説明する。
まず図４には、交換レンズ５０内のＬＣＰＵ５１が行う制御シーケンスのフローチャートを示す。
交換レンズ内に電源電池が装填された時点で、このＬＣＰＵ５１は電源ＯＮ状態になると、まずステップＳ１において、内部メモリの初期化を行う（Ｓ１）。
【００４６】
ステップＳ２においては、カメラボディより通信要求信号が有るかどうかの判定を行い（Ｓ２）、通信要求信号があるまで待機する。尚、通信要求信号の有無は、通信信号ラインからの信号に基づいて判断する。そして通信要求信号があると、カメラボディとの通信（ボディ通信）を行い、そのカメラボディからのコマンド・データ、制御データを入力する（Ｓ３）。
入力されたカメラボディからのコマンド・データの種別を判定し（Ｓ４）、もしこれが「ズーム操作イネーブル」コマンドである場合にはステップＳ５に進み、それ例外の場合はステップＳ６に進む。
【００４７】
ステップＳ５では、「ズーム操作イネーブル」の処理シーケンスを行う（詳細後述）。そしてこのステップＳ５の終了後は、上記ステップＳ２に戻って同様な処理ステップを繰り返す。
ステップＳ６においては、カメラボディからのコマンド・データが「ボディＩＤ番号書込み」コマンドであるか否かを判定し（Ｓ６）、その場合はステップＳ７に進み、それ以外の場合にはステップＳ８に進む。
【００４８】
ステップＳ７には、このコマンド・データに引き続いて「ボディＩＤ番号データ」がカメラボディより送信されてくる。その「ボディＩＤ番号データ」を受信して、ＬＣＰＵ５１内部のＲＡＭに書き込む（Ｓ７）。
ステップＳ８には、カメラボディからのコマンド・データが「ＡＶ絞込み」である場合はステップＳ９に進み、それ以外の場合にはステップＳ１１に進む。
【００４９】
ステップＳ９では、カメラボディからのコマンド・データに引き続いて制御データとして「絞り込み段数データ」が送信されてくるので、そのデータに従って、絞り駆動手段５８を使用して絞り機構５７の絞込みを行う（Ｓ９）。
ステップＳ１０では、カメラボディと通信を行い、「ＡＶ絞込み終了」を示すコマンドデータをカメラボディに送る（Ｓ１０）。
ステップＳ１１においては、カメラボディからのコマンド・データが「ＡＶ開放」である場合はステップＳ１２に進み、それ以外の場合にはステップＳ１４に進む。
【００５０】
ステップＳ１２では、絞り駆動手段５８を使用して絞り機構５７を駆動して絞りを開放にする。
ステップＳ１３では、カメラボディと通信を行い、「ＡＶ開放終了」を表わすコマンドデータをカメラボディに送る（Ｓ１３）。
ステップＳ１４において、カメラボディからのコマンド・データが「ＬＤ駆動」であるか否かを判定し、「ＬＤ駆動」である場合は、ステップＳ１５に進み、それ以外の場合にはステップＳ１７に進む。
【００５１】
ステップＳ１５で、カメラボディからのコマンド・データに引き続いて制御データとして、「ＬＤ駆動量」および「ＬＤ駆動方向」が送信されてくるのでそのデータに従って、ＬＤ駆動手段６０を使用してピント合せ用レンズ５９の駆動を行う。
ステップＳ１６では、カメラボディと通信を行い、「ＬＤ駆動終了」を示すコマンドデータをボディに送る。
ステップＳ１７においては、カメラボディからのコマンド・データが「レンズパラメータ読込み」であるか否かを判定し、その場合はステップＳ１８に進み、それ以外の場合にはステップＳ２２に進む。
【００５２】
ステップＳ１８では、ズームエンコーダ５４より、そのズームエンコーダの値を読み込む（Ｓ１８）。
ステップＳ１９では、ズームエンコーダの値より焦点距離を演算で求める（Ｓ１９）。
【００５３】
ステップＳ２０では、ステップＳ７でＲＡＭに書き込んだボディＩＤ番号から、Ｆボディであるか又はＤボディであるかを判断し（Ｓ２０）、さらにステップＳ１９で求めた焦点距離情報により、図１０中の（表１）から測光補正係数を決定する。なお、この測光補正係数は、カメラボディがＦボディの場合には、図１０中の（表２）に一例を示すとおり測光パターンＡ，Ｂ，Ｃに対応した３種類の測光補正係数で構成されている。またカメラボディがＤボディの場合には、図１０中の（表４）に一例を示す通り６種類の測光補正係数で構成されている（詳細図１０参照）。
【００５４】
ステップＳ２１では、カメラボディと通信を行い、レンズパラメータをボディに送る（Ｓ２１）。尚、このときのレンズパラメータは、  ▲１▼：レンズＩＤ番号、  ▲２▼：焦点距離データ、  ▲３▼：ＡＶＯ値、  ▲４▼：絞込み段数データ、  ▲５▼：測光補正値（テーブル参照）である。
【００５５】
ステップＳ２２において、カメラボディからのコマンド・データが「露光量補正値読込み」であるか否かを判定し（Ｓ２２）、もしそうである場合はステップＳ２３に進み、それ以外の場合は上記ステップＳ２に戻って同様な処理ステップを繰り返す。
ステップＳ２３では、ステップＳ７でＲＡＭに書き込んだボディＩＤ番号より、ＦボディであるかＤボディであるかを判断し（Ｓ２３）、さらにステップＳ１９で求めた焦点距離情報と、コマンド・データ「露光量補正値読込み」に引き続いてカメラボディから送られてくる露出制御絞り値（ＡＶ値）により、カメラボディがＦボディの場合には、図９中の（表１）と（表３）から露出制御絞り値に対応した露光量補正係数を決定する。またカメラボディがＤボディの場合には、図９中の（表１）と（表５）から露出制御絞り値に対応した露光量補正係数を決定する。
【００５６】
ステップＳ２４では、カメラボディと通信を行い、上記ステップＳ２３で求めた露光量補正値を送信する（Ｓ２４）。この後は、ステップＳ２に戻って同様な処理ステップを繰り返す。
【００５７】
図５には、「ズーム操作イネーブル」のシーケンスのフローチャートを示す。
まずステップＳ５０においては、ＴＥＬＥ−ＳＷ５５の状態をモニタし（Ｓ５０）、もしＴＥＬＥ−ＳＷ５５がＯＦＦの場合は、ステップＳ５９に進む。
【００５８】
一方、ＯＮならばズーム駆動手段５３を動作させて、ＴＥＬＥ駆動（即ちＴＥＬＥ側へズーミング）を開始する（Ｓ５１）。
【００５９】
そしてステップＳ５２において、ズームエンコーダ５４の値をモニタしてそのズームエンコーダ値に基づき、ズーミング機構がＴＥＬＥ端に当て付いているか否かを判定し（Ｓ５２）、もしズーミング機構がＴＥＬＥ端にまだ当て付いていない場合は、ステップＳ５６に進む。
一方、ＴＥＬＥ端の場合は、続くステップＳ５３において、ズーム駆動手段５３に対しブレーキをかけ（Ｓ５３）、ズーム駆動手段５３をＯＦＦ（不動作）状態にする（Ｓ５４）。
【００６０】
次にステップＳ５５において、ＴＥＬＥ−ＳＷ５５の状態をモニタし、ＴＥＬＥ−ＳＷがＯＦＦ状態になるまで待ち（Ｓ５５）、ＯＦＦ状態になったならば、ステップＳ６８に進む。
ステップＳ５６においては、ＴＥＬＥ−ＳＷがＯＮならば上記ステップＳ５２に戻り、一方、ＴＥＬＥ−ＳＷがＯＦＦならば、続くステップＳ５７でズーム駆動手段５３に対してブレーキをかけ（Ｓ５７）、次にズーム駆動手段５３をＯＦＦ（不動作）状態にする（Ｓ５８）。そしてステップＳ６８に進む。
【００６１】
ステップＳ５９においては、ＷＩＤＥ−ＳＷ５６のモニタを行い（Ｓ５９）、もし、ＷＩＤＥ−ＳＷ５６がＯＦＦの場合にはステップＳ６８に進む。
一方、ＯＮならばズーム駆動手段５３を動作させ、ステップＳ６０においてＷＩＤＥ駆動（ＷＩＤＥ側へズーミング）を開始する（Ｓ６０）。
【００６２】
ステップＳ６１において、ズームエンコーダ５４の値をモニタし、そのズームエンコーダ値によって判定する（Ｓ６１）。もしズーミング機構がＷＩＤＥ端にまだ当て付いていない場合は、ステップＳ６５に進む。
【００６３】
一方、ズーミング機構がＷＩＤＥ端に当て付いている場合は、次にズーム駆動手段５３に対してブレーキをかけ（Ｓ６２）、ズーム駆動手段５３をＯＦＦ（不動作）状態にする（Ｓ６３）。続いてステップＳ６４において、ＷＩＤＥ−ＳＷ５６の状態をモニタし、ＷＩＤＥ−ＳＷがＯＦＦ状態になるまで待ち（Ｓ６４）、ＯＦＦ状態になったならば、ステップＳ６８に進む。
【００６４】
また、ステップＳ６５において、ＷＩＤＥ−ＳＷがＯＮ状態ならば、ステップＳ６１に戻り、ＷＩＤＥ−ＳＷがＯＦＦになったならば、ズーム駆動手段５３に対してブレーキをかけ（Ｓ６６）、続いてズーム駆動手段５３をＯＦＦ（不動作）状態にして（Ｓ６７）、次のステップＳ６８に進む。
ステップＳ６８においては、カメラボディより通信要求がある場合に、コールされたメインルーチンにリターンし、それ以外の場合には前述したステップＳ５０に戻って同様な処理ステップを繰り返す。
【００６５】
また図６には、カメラボディの制御シーケンスのフローチャートを示す。
まずステップＳ１００にて、リセット・スタート後の初期設定として、内部メモリ等の初期化を行う（Ｓ１００）。
ステップＳ１０１においては、ＰＷ−ＳＷ２１のモニタを行い（Ｓ１０１）、もしＯＮならばステップＳ１０３に進む。
【００６６】
一方、ＯＦＦならば、動作状態表示手段１７の表示をＯＦＦにして（Ｓ１０２）、ステップＳ１０１に戻る。なお、動作状態表示手段が元々ＯＦＦの場合はその状態を保持してステップＳ１０１に戻る。
【００６７】
ステップＳ１０３において、動作状態表示手段１７の表示をＯＮ又は、表示内容を更新する（Ｓ１０３）。
次に、交換レンズとの通信を行い、「ボディＩＤ番号書込み」を行う（Ｓ１０４）。また、同様に交換レンズとの通信を行い、「レンズ・パラメータ読込み」を行う（Ｓ１０５）。
【００６８】
ステップＳ１０６において、上記ステップＳ１０４及びＳ１０５での通信が成功したか否かを判定し（Ｓ１０６）、通信が失敗した場合は、「交換レンズが装着されていない」と判断し、上記ステップＳ１０１に戻る。
【００６９】
一方、成功した場合は、Ｓ１０７に進み、１ＲＳＷ１９の状態をモニタする（Ｓ１０７）、もしＯＮならばステップＳ１１１に進む。
一方、ＯＦＦならばステップＳ１０８に進み、交換レンズとの通信を行い、「ズーム操作イネーブル」を行う。そして、露出モードＳＷ１８の状態をモニタし（Ｓ１０９）、もしＯＦＦならばステップＳ１０１に戻る。一方、ＯＮならばステップＳ１１０に進んで露出モードの変更処理を行う（Ｓ１１０）。なお、露出モードは、露出モードＳＷ１８をＯＮする都度に露出モードが、「プログラムＡＥモード」、「絞り優先ＡＥモード（ＡＶ優先モード）」、「シャッタ秒時優先ＡＥモード（ＴＶ優先モード）」の順番にスクロールするが、この露出モードの変更処理では、この露出モードを記憶するためのＲＡＭデータを変更する。
【００７０】
ステップＳ１１１では、ＡＦセンサ５を使用して測距を行い、さらにその測距結果よりピント合せのためのレンズ駆動量の演算を行う（Ｓ１１１）。そして、交換レンズとの通信を行い、レンズを駆動する「ＬＤ駆動」を行う（Ｓ１１２）。すなわち、ＬＣＰＵのシーケンスの中でステップＳ１５を行う。
【００７１】
ステップＳ１１３では、測光演算を行う（Ｓ１１３）。Ｆボディの場合には、３分割の測光センサ１０からの光電流を測光処理回路１１を使用して対数圧縮を行い、ＦＣＰＵ２に取り込み、Ａ／Ｄ変換を行い、さらに下式に従って順次に測光演算を行う。即ち、
ＢＶＡ＝Log2（ＩＰＡ／IPSA(BV6) ）＋６＋（ＡＶＯ−ＡＶＯＳ）＋ΔＢＶＡ
ＢＶＢ＝Log2（ＩＰＢ／IPSB(BV6) ）＋６＋（ＡＶＯ−ＡＶＯＳ）＋ΔＢＶＢ
ＢＶＣ＝Log2（ＩＰＣ／IPSC(BV6) ）＋６＋（ＡＶＯ−ＡＶＯＳ）＋ΔＢＶＣ
但し、ＢＶＡ〜ＢＶＣ：各測光パターンからの測光値、
ＩＰＡ〜ＩＰＣ：各測光パターンからの測光光電流、
ＡＶＯ    ：交換レンズの開放絞り値のアペックス値、
ＡＶＯＳ  ：校正用基準レンズでの、基準Ｆno. アペックス値、
IPSA(BV6) 〜IPSC(BV6) ：校正用基準レンズで、ＢＶ６の輝度箱（カメラレンズの前方より所定の輝度の照明を一様に与え、カメラに対して所定の輝度設定を行う装置）を設定した場合の各測光パターンからの測光出力。
ΔＢＶＡ〜ΔＢＶＣ：各測光パターンに対応した測光補正係数。
【００７２】
ステップＳ１０５にて交換レンズから読み込んだ測光補正値を使用する。
上記の測光結果より、所定の評価演算式に従って、露出制御のための測光値ＢＶを求める。すなわち、
ＢＶ＝ｆ（ＢＶＡ、ＢＶＢ、ＢＶＣ）
但し、Ｄボディの場合の各値は次式で求められる。すなわち、
ＢＶＡ＝Log2（ＩＰＡ／IPSA(BV6) ）＋６＋（ＡＶＯ−ＡＶＯＳ）＋ΔＢＶＡ
ＢＶＢ＝Log2（ＩＰＢ／IPSB(BV6) ）＋６＋（ＡＶＯ−ＡＶＯＳ）＋ΔＢＶＢ
ＢＶＣ＝Log2（ＩＰＣ／IPSC(BV6) ）＋６＋（ＡＶＯ−ＡＶＯＳ）＋ΔＢＶＣ
ＢＶＤ＝Log2（ＩＰＤ／IPSD(BV6) ）＋６＋（ＡＶＯ−ＡＶＯＳ）＋ΔＢＶＤ
ＢＶＥ＝Log2（ＩＰＥ／IPSE(BV6) ）＋６＋（ＡＶＯ−ＡＶＯＳ）＋ΔＢＶＥ
ＢＶＦ＝Log2（ＩＰＦ／IPSF(BV6) ）＋６＋（ＡＶＯ−ＡＶＯＳ）＋ΔＢＶＦ。
【００７３】
よって、上記の測光結果によれば、下式のように定められた評価演算式に従っても、露出制御のための測光値ＢＶを求めることができる。例えば、
ＢＶ＝ｆ（ＢＶＡ、ＢＶＢ、ＢＶＣ、ＢＶＤ、ＢＶＥ、ＢＶＦ）。
そして次のステップＳ１１４において、露出演算を行う（Ｓ１１４）。この露出演算は次式に従って行なわれる。      ＥＶ＝ＢＶ＋ＳＶ
但し、ＳＶ：フィルム若しくは撮像素子の感度に対応したアペックス値。
ここでＥＶ値から露出制御値であるＡＶ，ＴＶを求めるが、その求める方法は、設定された露出モードによって異なる。なお、各露出モードによってＡＶ，ＴＶを求める方法は、図１０の（表６）に示す如くである。
【００７４】
ステップＳ１１５では、交換レンズとの通信を行い、「露光量補正値読込み」を行う（Ｓ１１５）。すなわち、ＬＣＰＵのシーケンスの中でステップＳ２３〜Ｓ２４を実行する。そして、交換レンズから受信した露光量補正値ΔＥＶを読み込む。
【００７５】
ステップＳ１１６では、ステップＳ１１５にて交換レンズから読み取ったΔＥＶ値に従って、露光量の補正を、ＡＶ値又はＴＶ値のどちらかに行う（Ｓ１１６）、その詳細は（表６）の最右段に従う。ただしその（表６）において、ＴＶ′および、ＡＶ′は、露光量補正後のＴＶ，ＡＶ値であるものとする。
【００７６】
ステップＳ１１７においては、２ＲＳＷ２０の状態をモニタし（Ｓ１１７）、もし、２ＲＳＷ２０がＯＮならばステップＳ１１９に進み、一方、２ＲＳＷ２０がＯＦＦの場合にはステップＳ１１８に進む。
このステップＳ１１８では、１ＲＳＷ１９の状態をモニタし（Ｓ１１８）、もしＲＳＷ１９がＯＮならば再び上記ステップＳ１１７に戻り、一方、１ＲＳＷ１９がＯＦＦならば前述のステップＳ１０１に戻る。
【００７７】
ステップＳ１１９においては、ミラー駆動回路２３を使用してクイックリターンミラー３のアップ動作を行い（Ｓ１１９）、次に、交換レンズとの通信を行って（Ｓ１２０）、「ＡＶ絞込み」を行う。すなわち、ＬＣＰＵのシーケンスの中でステップＳ９を実行する。
続いて、ステップＳ１２１では、シャッタ制御回路１３を使用して露出を行い（Ｓ１２１）、ステップＳ１２２では、ミラー駆動回路２３を使用してクイックリターンミラー３のダウンを行う（Ｓ１２２）。
そして、ステップＳ１２３では、交換レンズとの通信を行って（Ｓ１２３）、「ＡＶ開放」を行う。すなわち、ＬＣＰＵのシーケンスの中でステップＳ１２を実行する。
【００７８】
また、ステップＳ１２４では、シャッタチャージ機構１４を使用してシャッタのチャージを行う（Ｓ１２４）。
ここで、ステップＳ１２５において、カメラボディの種類を判別し（Ｓ１２５）、そのカメラボディの種類がもしＦボディの場合は、ステップＳ１２６にて、フィルム給送手段１６を使用して巻上げを行い（Ｓ１２６）、その後は前述のステップＳ１０１に戻る。
一方、Ｄボディの場合においては、ステップＳ１２７に進み、画像記録回路１０５を用いてその画像記録媒体１０６に画像データを記録する（Ｓ１２７）。その後は同様に前述のステップＳ１０１に戻る。
【００７９】
（作用効果１）
このように第１実施形態例によれば、１つのカメラシステムの中に、銀塩フィルムを使用する銀塩カメラボディと、ＣＣＤ等の撮像素子を使用するデジタルカメラボディという記録媒体の異なる２種類のカメラボディと、これら両カメラボディに共用する交換レンズとを有して成るシステムにおいて、上記デジタルカメラボディのイメージサイズを上記銀塩カメラボディのイメージサイズに対して小さくしても、交換レンズとカメラボディとの組合せにより発生する露出に関する誤差を正しく補正することができるカメラシステムを実現するため、この交換レンズには銀塩フィルム用のレンズ特性データと電子撮像用のレンズ特性データとが記憶されており、銀塩フィルム用カメラボディが装着されると、該当する銀塩用データがそのカメラボディに送信され、一方、電子撮像用カメラボディが装着されると、該当する電子撮像用データがそのカメラボディに送信される。そして、それぞれのカメラボディは、その交換レンズから送信されてきた特性データに基づいて、最適な測光、露出、ＡＦ等のための演算を行うことができる。
【００８０】
よって、カメラシステムとして、銀塩フィルム用カメラボディに専用の交換レンズや、電子撮像用カメラボディに専用の交換レンズをも「ラインナップ」することができ、その結果としてカメラシステム自体を広く展開することが可能となる。
【００８１】
（第２実施形態例）
本発明に係わる第２実施形態例の基本システム構造は、前述した第１実施形態例（図２）と同じものであるのでその説明は省略し、特徴的な制御手順について以下に詳しく説明する。
図７のフローチャートには、交換レンズ５０内のＬＣＰＵの制御シーケンスを示す。尚、前述の第１実施形態例（図４のフローチャート）と同じ符号の処理ステップは、その第１実施形態例と同じであるので説明を省略する。
本第２実施形態例では、図４中のステップＳ６，Ｓ７に対応する処理ステップが無い。すなわち第２実施形態例では、カメラボディのＩＤ番号（カメラボディの種類）に応じて処理が変わることがない。
【００８２】
図７中のステップＳ１００においては、決定された焦点距離を補正するための補正演算を行う（Ｓ１００）。
ステップＳ２００においては、カメラボディに送信するレンズパラメータの内で、第５のパラメータである▲５▼測光補正値は、焦点距離データに応じて、Ｆボディ，Ｄボディ両方のデータをカメラボディに対して送る。すなわち図９中の（表１）において、焦点距離が２８ｍｍの場合には、ΔＢＶＦ２８テーブル（即ち図９中の（表２）に相当）と、ΔＢＶＤ２８テーブル（即ち図９中（表４）に相当）の両方をカメラボディ側に送る（Ｓ２００）。
【００８３】
ステップＳ２０１においては、カメラボディに対して、焦点距離データに応じて、Ｆボディ，Ｄボディ両方のデータをカメラボディ側に送る。すなわち（表１）において、焦点距離が２８ｍｍの場合には、ΔＥＶＦ２８テーブル（即ち（表３）に相当）と、ΔＥＶＤ２８テーブル（即ち（表５）に相当）の両方をカメラボディ側に送る（Ｓ２０１）。
【００８４】
また、図８のフローチャートには、交換レンズ５０内のＬＣＰＵの制御シーケンスを示す。尚、前述の第１実施形態例（図６のフローチャート）と同じ符号の処理ステップは、第１実施形態例と同じであるので説明を省略する。
ステップＳ３００においては、図７中のステップＳ２００で説明した通り、第１実施形態例と異なる点は、第５パラメータである▲５▼測光補正値は、Ｆボディ，Ｄボディ両方のデータを受信する（Ｓ３００）。
【００８５】
ステップＳ３０１においては、図７中のステップＳ２００で説明した通り、第１実施形態例と異なる点は、Ｆボディ，Ｄボディ両方のデータを受信する。さらに制御絞り値，ＡＶ値に関わりなく全てのＡＶ値に対応した露光量補正係数をテーブル毎と受信する（Ｓ３０１）。
ステップＳ３０２においては、測光演算の中で、上記ステップＳ３００において交換レンズから受信したＦボディ，Ｄボディ両方の測光補正値の中から、カメラボディの種類に応じた測光補正量ΔＢＶＡ〜ΔＢＶＣ（又はΔＢＶＡ〜ΔＢＶＦ）を選択して測光演算を行う（Ｓ３０２）。
【００８６】
ステップＳ３０３においては、露出補正演算の中で、上記ステップＳ３０１において交換レンズから受信したＦボディ、Ｄボディ両方の露光量補正値の中から、カメラボディの種類と制御絞り値，ＡＶ値に対応した露光量補正値ΔＥＶ値を選択して露出補正演算を行う（Ｓ３０３）。
【００８７】
（作用効果２）
このように第２実施形態例によれば、基本システム構造は前述した第１実施形態例と実質的に同じであるが、交換レンズ側の制御手順においては、第１実施形態例に対応する処理ステップ（図４中のＳ６，Ｓ７）が無く、カメラボディの種類を示すカメラボディのＩＤ番号に応じた処理は変わらない。また、焦点距離を補正するための補正演算をＳ１００で行っている。
【００８８】
一方、カメラボディ側の制御手順においても、カメラボディのＩＤ番号に応じた処理ステップは無い。
よって、前述の第１実施形態例の処理手順に比べてより簡単に制御可能となり、同等な作用効果が得られることがわかる。
【００８９】
（その他の変形例）
なお、このほかにも本発明の要旨を逸脱しない範囲で種々の変形実施が可能である。
【００９０】
以上、本発明について実施形態例に沿って説明してきたが、本明細書中には次の本発明が含まれている。例えば、
（１）  少なくとも２種類のカメラボディに共通して使用可能な交換レンズであって、
上記カメラボディの露出制御に必要で、このカメラボディの種類に対応した別個の露出補正データを記憶しているデジタルメモリと、
上記デジタルメモリ内部に記憶された露出補正データをカメラボディに送信するための送信手段とを更に有する交換レンズ。
【００９１】
（２）  少なくとも２種類のカメラボディに装着可能な交換レンズにおいて、
上記カメラボディの種類によって異なる露出制御に用いる露出補正データを別個に記憶する記憶手段と、
上記カメラボディの種類に関連したカメラボディデータを上記カメラボディ側から受信するための受信手段と、
上記カメラボディデータに基づいて、上記記憶手段に記憶されている露出補正データを選択する選択手段と、
上記選択手段で選択された露出補正データを上記カメラボディ側に送信するための送信手段と、を具備することを特徴とする交換レンズ。
【００９２】
尚、ここで言う「記憶手段」は、ＬＣＰＵ５１内の記憶部７０，７３である。また、「送信手段」「受信手段」及び「選択手段」は、ＬＣＰＵ５１が有している（図１参照）。
【００９３】
（３）  少なくとも２種類のカメラボディに装着可能な交換レンズにおいて、
上記カメラボディの種類によって異なる露出制御に用いる露出補正データを別個に記憶する記憶手段と、
上記カメラボディの種類に関連したカメラボディデータと露出制御に用いる露出制御パラメータとを上記カメラボディ側から受信するための受信手段と、
上記カメラボディデータと上記露出制御パラメータとに基づいて、上記記憶手段に記憶されている露出補正データを選択する選択手段と、
上記選択手段で選択された露出補正データを上記カメラボディ側に送信するための送信手段と、
を具備することを特徴とする交換レンズ。
【００９４】
（４）  少なくとも２種類のカメラボディに装着可能な交換レンズにおいて、
上記カメラボディの種類によって異なる露出制御に用いる露出補正データを別個に記憶する記憶手段と、
上記カメラボディの種類に関連したカメラボディデータを上記カメラボディ側から受信するための受信手段と、
上記露出に関する状態を変更するためのマニュアル操作部材と、
上記操作部材の操作に応じて出力されるマニュアル操作情報と上記カメラボディデータに基づいて、上記記憶手段に記憶されている露出補正データを選択する選択手段と、
上記選択手段で選択された露出補正データを上記カメラボディ側に送信するための送信手段と、
を具備することを特徴とする交換レンズ。
【００９５】
（５）  少なくとも２種類のカメラボディに装着可能な交換レンズにおいて、
上記カメラボディの種類によって異なる露出制御に用いる露出補正データを別個に記憶する記憶手段と、
上記カメラボディの種類に関連したカメラボディデータと露出制御に用いる露出制御パラメータとを上記カメラボディ側から受信するための受信手段と、
上記露出に関する状態を変更するためのマニュアル操作部材と、
上記操作部材の操作に応じて出力されるマニュアル操作情報、上記カメラボディデータおよび上記露出制御パラメータに基づいて、上記記憶手段に記憶されている露出補正データを選択する選択手段と、
上記選択手段で選択された露出補正データを上記カメラボディ側に送信するための送信手段と、
を具備することを特徴とする交換レンズ。
尚、ここで言う「マニュアル操作部材」は、ＴＥＬＥ−ＳＷ５５とＷＩＤＥ−ＳＷ５６（図１参照）が対応し、露出制御パラメータは、絞り値（図９中の（表３），（表５）参照）である。
【００９６】
（６）  上記露出補正データは、上記カメラボディ側で測定した測光出力の補正を行うための測光補正データであることを特徴とする（１）〜（５）のいずれかに記載の交換レンズ。
（７）  上記露出補正データは、上記カメラボディ側で露出を行う際に発生する周辺光量の低下を補正するための露光量補正データであることを特徴とする（１）〜（５）のいずれかに記載の交換レンズ。
（８）  上記少なくとも２種類のカメラボディは、撮影画面の大きさが異なっていることを特徴とする（１）〜（５）のいずれかに記載の交換レンズ。
【００９７】
（９）  少なくとも２種類のカメラボディに装着可能な交換レンズを含むカメラシステムにおいて、
上記交換レンズは、上記カメラボディの種類によって異なる露出制御に用いる露出補正データを別個に記憶する記憶手段と、上記記憶手段に記憶された露出補正データを上記カメラボディ側に送信するための送信手段と、を具備し、
上記カメラボディは、上記送信手段から送信された露出補正データの中からカメラボディの種類に対応する露出補正データを選択することを特徴とするカメラシステム。
【００９８】
（１０）  複数形式のカメラボディ、少なくとも例えば銀塩フィルムを用いた銀塩カメラボディと、ＣＣＤ等の撮像素子を用いたデジタルカメラボディと、これらボディに共通な交換レンズを有するカメラシステムに使用できる露出制御機能をもった交換レンズであって、この交換レンズには、撮影媒体（フィルム又は撮像素子）毎に個別に分けた複数の特性データ（特に周辺光量データ）が記憶され、その撮影媒体（カメラボディの種類）に応じた特性データをそのカメラボディ側に送信する機能を有する。
【００９９】
【発明の効果】
本発明によれば、同一な交換レンズをイメージサイズの異なるカメラボディの何れに装着した場合でも適正な撮影制御を行なうと共に、カメラシステムの充実を容易にするような交換レンズ、及びカメラボディの露出制御方法を提供することができる。
【図面の簡単な説明】
【図１】図１は、ロールフィルムを用いた銀塩フィルム用カメラボディ（Ｆボディ）に交換レンズが装着されたカメラシステムを示す構成図。
【図２】図２は、デジタルカメラボディ（Ｄボディ）のシステムを示す構成図。
【図３】  図３（ａ），（ｂ）は、測光センサの領域を示し、
（ａ）は、測光センサの受光面を正面から見て詳細に示す説明図、
（ｂ）は、測光センサの受光面を正面から見て詳細に示すもう１つの説明図。
【図４】図４は、交換レンズ内のＬＣＰＵが行う制御シーケンスを示すフローチャート。
【図５】図５は、「ズーム操作イネーブル」のシーケンスを示すフローチャート。
【図６】図６は、カメラボディの制御シーケンスを示すフローチャート。
【図７】図７は、交換レンズ内のＬＣＰＵの制御シーケンスを示すフローチャート。
【図８】図８は、交換レンズ内のＬＣＰＵの制御シーケンスを示すフローチャート。
【図９】図９は、ＬＣＰＵ内のＲＯＭに記憶された測光補正係数および露光量補正係数のテーブル（表１）〜（表５）を示す説明図。
【図１０】図１０は、各露出モードによって、ＥＶ値から露出制御値（ＡＶ，ＴＶ）を求める方法としてのテーブル（表６）を示す説明図。
【図１１】  図１１（ａ），（ｂ）はフィルム面（撮像素子面）上の変位量とそのフィルム面上の照度との関係を示し、
（ａ）は、イメージサイズが大きい銀塩カメラボディに対応する周辺光量の低下を示すグラフ、
（ｂ）は、イメージサイズが小さいデジタルカメラボディに対応する周辺光量の低下を示すグラフ。
【符号の説明】
１…Ｆボディ（銀塩フィルム使用カメラボディ）、
２…ＦＣＰＵ（Ｆボディ専用マイクロコンピュータ）、
３…クイックリターンミラー、
４…サブミラー、
５…ＡＦセンサ、
６…フォーカシング・スクリーン、
７…ペンタプリズム、
８…接眼レンズ、
９…集光レンズ（測光センサ用）、
１０…測光センサ、
１１…測光処理回路、
１２…フォーカルプレーンシャッタ、
１３…シャッタ制御回路、
１４…シャッタチャージ機構、
１５…フィルム（ロールフィルム）、
１６…フィルム給送手段、
１７…動作状態表示手段、
１８…露出モードＳＷ、
１９…レリーズボタン（１ＲＳＷ）、
２０…レリーズボタン（２ＲＳＷ）、
２１…カメラの電源ＳＷ、
２２…電気接点、
２３…ミラー駆動回路、
５０…交換レンズ、
５１…ＬＣＰＵ（交換レンズ専用マイクロコンピュータ）、
５２…レンズ群（ズーム用）、
５３…ズーム駆動手段、
５４…ズームエンコーダ、
５５…ＴＥＬＥ−ＳＷ（望遠側用ＳＷ）、
５６…ＷＩＤＥ−ＳＷ（広角側用ＳＷ）、
５７…絞り機構、
５８…絞り駆動手段、
５９…レンズ群（ピント合せ用）、
６０…ＬＤ（レンズ駆動）手段、
６１…ＬＤエンコーダ、
６２…電気接点、
７０…測光補正係数記憶部（ＬＣＰＵ内、ＲＯＭの一部）、
７１…測光補正係数記憶部（７０内、Ｆボディに対応）、
７２…測光補正係数記憶部（７０内、Ｄボディに対応）、
７３…露光量補正係数記憶部（ＬＣＰＵ内のＲＯＭの一部）、
７４…露光量補正係数記憶部（７３内、Ｆボディに対応）、
７５…露光量補正係数記憶部（７３内、Ｄボディに対応）、
１００…Ｄボディ（電子撮像用カメラボディ）、
１０１…ＤＣＰＵ（Ｄボディ専用マイクロコンピュータ）、
１０２…ＣＣＤ撮像素子、
１０３…ＣＣＤドライバ、
１０４…画像処理回路、
１０６…画像記録媒体、
１０５…画像記録回路、
１０７…測光センサ。
【図１】
0004274607.tif 000002
【図２】
0004274607.tif 000003
【図３】
0004274607.tif 000004
【図４】
0004274607.tif 000005
【図５】
0004274607.tif 000006
【図６】
0004274607.tif 000007
【図７】
0004274607.tif 000008
【図８】
0004274607.tif 000009
【図９】
0004274607.tif 000010
【図１０】
0004274607.tif 000011
【図１１】
0004274607.tif 000012